(57)【要約】【課題】  錠剤シート収容部（保持部）に錠剤シートを補充するようにユーザに通知する際に、単に錠剤名を通知しただけでは、どの錠剤シートを補充すべきかをユーザが把握しにくいという懸念があった。【解決手段】  複数の錠剤シートを保持する保持部に錠剤シートを補充する際に、保持部に投入すべき錠剤シートの外観を識別可能な状態で通知することにより、ユーザによる錠剤シートの間違えを防止することができる。【選択図】  図１５
2016135230.tif 000002
【特許請求の範囲】
【請求項１】
複数の錠剤が封入された錠剤シートから錠剤を取り出す錠剤取出手段と、
複数の錠剤シートを保持する保持部から前記錠剤取出手段による錠剤取出位置に錠剤シートを搬送する搬送手段と、
前記保持部に錠剤シートが保持されているか否かを判断する判断手段と、
前記判断手段で錠剤シートが保持されていないと判断された場合に、ユーザに対して当該保持部に同じ種類の錠剤シートを供給するように、投入すべき錠剤シートの外観を識別可能な状態で通知する通知手段と、
を有する錠剤取出装置。
【請求項２】
前記判断手段は、前記搬送手段によって錠剤シートが搬送されているか否かにより判断することを特徴とする請求項１に記載の錠剤取出装置。
【請求項３】
前記保持部に対応して設けられた表示部を更に有し、
前記通知手段は、投入すべき錠剤シートの画像を前記表示部に表示させることで、ユーザに対して投入すべき錠剤シートの外観を識別可能とすることを特徴とする請求項１又は２に記載の錠剤取出装置。
【請求項４】
前記錠剤取出手段による錠剤取出条件は、外部の情報処理装置から取得しており、
前記通知手段は、前記外部の情報処理装置の表示部に、前記投入すべき錠剤シートの画像を表示させることで、ユーザに対して投入すべき錠剤シートの外観を識別可能とすることを特徴とする請求項１又は２に記載の錠剤取出装置。
【請求項５】
前記保持部に保持されている錠剤シートの画像を撮像する撮像手段を更に有し、
前記通知手段は、前記撮像手段で撮像された画像を用いて識別可能とすることを特徴とする請求項３又は４に記載の錠剤取出装置。
【請求項６】
前記錠剤取出装置による錠剤取出条件をもとに、錠剤マスタから錠剤シートの画像を取得する取得手段を更に有し、
前記通知手段は、前記取得手段で取得された画像を用いて識別可能とすることを特徴とする請求項３又は４に記載の錠剤取出装置。
【請求項７】
複数の錠剤が封入された錠剤シートから錠剤を取り出す錠剤取出手段と、複数の錠剤シートを保持する保持部から前記錠剤取出手段による錠剤取出位置に錠剤シートを搬送する搬送手段と、を有する錠剤取出装置の制御方法であって
前記保持部に錠剤シートが保持されているか否かを判断する判断工程と、
前記判断工程で錠剤シートが保持されていないと判断された場合に、ユーザに対して当該保持部に錠剤シートを供給するように、投入すべき錠剤シートの外観を識別可能な状態で通知する通知工程と、
を有する制御方法。
【請求項８】
複数の錠剤が封入された錠剤シートから錠剤を取り出す錠剤取出手段と、複数の錠剤シートを保持する保持部から前記錠剤取出手段による錠剤取出位置に錠剤シートを搬送する搬送手段と、を備える錠剤取出ユニットを複数と、
前記複数の錠剤取出ユニットごとに設けられた複数の表示部と、
前記保持部に錠剤シートが保持されている間は、前記錠剤シートの画像を対応する表示部に表示するように制御する表示制御手段と、
を有することを特徴とする錠剤取出装置。
【請求項９】
前記保持部に錠剤シートが保持されているか否かの判断手段と、
前記判断手段で錠剤シートが保持されていないと判断された場合に、ユーザに対して当該保持部に同じ種類の錠剤シートを供給するように、対応する表示部を介してユーザに識別可能な状態で通知する通知手段と、を更に有することを特徴とする請求項８に記載の錠剤取出装置。
【請求項１０】
複数の錠剤が封入された錠剤シートから錠剤を取り出す錠剤取出手段と、複数の錠剤シートを保持する保持部から前記錠剤取出手段による錠剤取出位置に錠剤シートを搬送する搬送手段と、を備える錠剤取出ユニットを複数と、前記複数の錠剤取出ユニットごとに設けられた複数の表示部と、を備える錠剤取出装置の制御方法であって、
前記保持部に錠剤シートが保持されている間は、前記錠剤シートの画像を対応する表示部に表示するように制御する表示制御工程
を有することを特徴とする制御方法。
【請求項１１】
前記保持部に錠剤シートが保持されているか否かの判断工程と、
前記判断工程で錠剤シートが保持されていないと判断された場合に、ユーザに対して当該保持部に同じ種類の錠剤シートを供給するように、対応する表示部を介してユーザに識別可能な状態で通知する通知工程と、を更に有することを特徴とする請求項１０に記載の制御方法。
【発明の詳細な説明】
【技術分野】
【０００１】
本発明は、錠剤シートから錠剤を取り出す錠剤取出装置および錠剤取出装置の制御方法に関する。
【背景技術】
【０００２】
これまでの調剤業務では、錠剤シート（ＰＴＰシート）で提供されている錠剤（薬）や散薬を一包化する際には、人の手によって錠剤シートから錠剤を取り出し、１回分ごとに錠剤を分包機へセットする必要であるため、作業が煩雑であるという問題があった。
【０００３】
そのため、特許文献１に開示されるような、分包作業を自動で行うことができる錠剤分包装置の開発が行われている。特許文献１には、複数の錠剤シートを収容できる錠剤シート収容部１１から、１シートずつ錠剤シートを錠剤取出位置にまで搬送し、錠剤シートの錠剤収容部を押圧して錠剤を取り出し、この取り出された錠剤を分包手段にまで運び、錠剤を自動で分包することができる錠剤分包装置が開示されている。
【先行技術文献】
【特許文献】
【０００４】
【特許文献１】特開２０１３−２８４０６号公報
【発明の概要】
【発明が解決しようとする課題】
【０００５】
しかしながら特許文献１のように、錠剤シート収容部に複数の錠剤シートを収容させてあったとしても、収容させてあった錠剤シートの枚数が処方データに対して不足している場合や、分包動作中に錠剤取出動作に失敗し、急遽錠剤が不足してしまう場合も生じる。
【０００６】
このような場合には、錠剤シートを収容している錠剤シート収容部（保持部）に新たな錠剤シートをセットするようにユーザ（薬剤師）に通知する必要が生じるが、単に錠剤名を通知しただけでは、どの錠剤シートを補充すべきかをユーザが把握しにくいという懸念があった。特に、複数の錠剤取出ユニットがある場合に投入すべき錠剤シートを間違えると、錠剤シートによって分包条件は異なるため、分包袋内に意図した錠剤と異なる錠剤が封入されてしまい、正しい分包が行われないことになってしまう。
【０００７】
そこで本発明は上記課題を鑑み、複数の錠剤シートを保持可能な保持部に錠剤シートを補充する際に、ユーザによる錠剤シートの間違えを防止することができる錠剤取出装置を提供することを目的としている。
【課題を解決するための手段】
【０００８】
上記課題を解決するために、本願発明の錠剤取出装置は、複数の錠剤が封入された錠剤シートから錠剤を取り出す錠剤取出手段と、複数の錠剤シートを保持可能な保持部から前記錠剤取出手段による錠剤取出位置に錠剤シートを搬送する搬送手段と、前記保持部に錠剤シートが保持されているか否かを判断する判断手段と、前記判断手段で錠剤シートが保持されていないと判断された場合に、ユーザに対して当該保持部に同じ種類の錠剤シートを供給するように、投入すべき錠剤シートの外観を識別可能な状態で通知する通知手段と、を有することを特徴としている。
【発明の効果】
【０００９】
本発明によれば、複数の錠剤シートを保持可能な保持部に錠剤シートを補充する際に、保持部に投入すべき錠剤シートの外観を識別可能な状態で通知することにより、ユーザによる錠剤シートの間違えを防止することができる。
【図面の簡単な説明】
【００１０】
【図１】包装装置と錠剤供給装置を示す図である。
【図２】錠剤供給装置を示す図である。
【図３】本発明に係る錠剤供給システムのハードウェアブロック図である。
【図４】錠剤取出ユニットの内部構造を示す図である。
【図５】錠剤取出ユニットの内部構造を示す図である。
【図６】錠剤供給装置の内部構造を示す図である。
【図７】錠剤供給ユニットの内部構造を示す図である。
【図８】包装ユニットの内部構造を示す図である。
【図９】包装ユニットの内部構造の一部を拡大した図である。
【図１０】錠剤供給装置を正面から見た図である。
【図１１】錠剤供給装置の内部を横（正面から見て右側）から見た図である。
【図１２】錠剤取出ユニットの内部構造を示す図である。
【図１３】錠剤シートの画像を取得する流れを説明するフローチャートである。
【図１４】補充すべき錠剤シートを識別可能に通知させる流れを説明するフローチャートである。
【図１５】錠剤シートが無くなった場合に表示される画面の一例である。
【図１６】錠剤シートが無くなった場合に表示される画面の一例である。
【発明を実施するための形態】
【００１１】
以下、図面を用いて、本発明の錠剤供給システム（図１）について説明する。
【００１２】
図１は、供給された錠剤を包装する包装装置５と錠剤を取り出して包装装置５（以下、分包装置とも称する）に供給する錠剤供給装置１０（以下、錠剤取出装置とも称する）と、手撒き投入部１４０１と、散薬投入部１０３を含む錠剤供給システム（以下、錠剤取出システムとも称する）を示す図である。錠剤供給装置１０には、複数の錠剤取出ユニット１が搭載されており、この錠剤取出ユニット１により錠剤シートから錠剤が取り出される。このような錠剤取出ユニット１は、情報処理装置３００や包装装置５に設けられたタッチパネル式のディスプレイ３６１等から分包条件（錠剤取出条件）を入力されることで、錠剤の取出動作を行うことができる。
【００１３】
図２（ａ）は、図１の一部領域を拡大して示す図である。さらに、図２（ｂ）は、錠剤シートを錠剤取出ユニット１に投入するための投入口２０３（保持部）の部分を拡大した図である。
【００１４】
錠剤シート５１は、プラスチック等からなる錠剤を収容する錠剤収容部５１０を有するシート本体の下面に、アルミニウム等からなる金属箔などを用いた封止シートを設けることによって錠剤が１錠ずつ錠剤収容部に封入されたものである。錠剤シート５１は、一般的にＰＴＰシート（ｐｒｅｓｓ  ｔｈｒｏｕｇｈ  ｐａｃｋ）と呼ばれている（以下錠剤シートのことをＰＴＰシートとも称する）。このようなＰＴＰシートは錠剤の種類によって、シートの幅や長さ、錠剤の数などが異なっており、様々なものが流通している。
【００１５】
錠剤供給装置１０には複数の錠剤取出ユニット１（錠剤取出部）が収納されており、錠剤取出ユニット１により錠剤シート（ＰＴＰシート）から錠剤を取り出して、錠剤供給ユニット４００の供給経路を経て、包装装置５に供給される。錠剤取出ユニット１は、本発明の錠剤取出装置の適用例である。錠剤取出ユニット１は、幅方向（左右方向）に６つが並べられ、この６つの錠剤取出ユニット１からなる組が上下に３段に配置されている。すなわち、錠剤取出ユニット１は、左右６列、上下３段に配列されている。このように錠剤供給装置１０は錠剤取出ユニット１を複数備えているが、錠剤取出ユニット１の数は１でもよい。
【００１６】
また、各錠剤取出ユニット１には、シートガイドの幅を調整するためのオートクローズスイッチ２０１０が設けられており、投入口２０３に錠剤シートが１枚投入された状態でオートクローズスイッチ２０１０が押下されると、錠剤井取出ユニットは錠剤シートの横幅にシートガイドの幅を併せるとともに、錠剤シートの横幅を取得することができる。
【００１７】
散薬投入部１０３は、包装装置５で分包する散薬を投入する部分であり、散薬投入部１０３に投入された散薬は、投薬１回分ごとに分けられ、これが後述するメインホッパー５０５に投入することで、１回分ずつに分包される。
【００１８】
手撒き投入部１４０１は、ユーザによって手撒きされた錠剤が投入され、手撒き投入部１４０１から投入された錠剤も、包装装置５に供給され分包されることになる。包装装置５は、錠剤供給装置１０から供給された錠剤と手撒き投入部１４０１から供給された錠剤とを１つの分包として包装することもできるし、別々に分包することもできる。
【００１９】
図３は、錠剤供給システムのハードウェア構成の一例についてブロック図を用いて説明する。ここでは、情報処理装置３００のＣＰＵ３３０と、包装装置５のＣＰＵ３５１と、錠剤供給装置１０のＣＰＵ３１１とがそれぞれ連携して、包装装置５が制御する各装置（各ユニット）、及び、錠剤供給装置１０が制御する各装置（各ユニット）の各種動作を制御している一例を示している。しかし１つのＣＰＵが、錠剤供給システムの全ての各装置を制御する構成でも構わない。また、ここでは錠剤供給装置１０にＣＰＵが１つ設けられている状態を図示しているが、錠剤取出ユニット１ごとにＣＰＵを設けてもよいし、錠剤取出ユニット１の段ごとにＣＰＵを設けてもよい。
【００２０】
まず情報処理装置３００のハードウェア構成について説明する。情報処理装置３００のＣＰＵ３３０は、システムバスに接続される各デバイスやコントローラを統括的に制御することができる。また、ＲＯＭ３３１あるいは外部メモリ３３６には、ＣＰＵ３３０の制御プログラムであるＢＩＯＳ（Ｂａｓｉｃ  Ｉｎｐｕｔ／Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。ＲＡＭ３３３は、ＣＰＵ３３０の主メモリ、ワークエリア等として機能する。ＣＰＵ３３０は、処理の実行に際して必要なプログラム等をＲＡＭ３３３にロードして、プログラムを実行することで各種動作を実現するものである。
【００２１】
また、ＣＰＵ３３０は、キーボードや不図示のマウス等の入力端末からの入力を制御する。ビデオコントローラ（ＶＣ）は、ディスプレイ３３４等の表示部への表示を制御することもでき、さらに、ブートプログラム、ブラウザソフトウエア、各種のアプリケーション、フォントデータ、ユーザファイル、編集ファイル、各種データ等を記憶するハードディスク（ＨＤ）やフロッピー（登録商標）ディスク或いはＰＣＭＣＩＡカードスロットにアダプタを介して接続されるコンパクトフラッシュ（登録商標）メモリ等の外部メモリ３３６へのアクセスを制御することもできる。
【００２２】
またＩ／Ｆ３２０は、ネットワークを介して外部機器と接続・通信するものであり、本実施形態においては包装装置５のＩ／Ｆ３５０と通信可能に接続されている。
【００２３】
次に、包装装置５のハードウェア構成について説明する。包装装置５のＣＰＵ３５１は、バスに接続されている各デバイスを統括的に制御することができる。ＲＯＭ３５２にはＣＰＵ３５１の制御ブログラムや各種制御プログラムが記憶されている。ＲＡＭ３５３は、ＣＰＵ３５１が動作するためのシステムワークメモリとして機能する。ＣＰＵ３５１は、タッチパネル式のディスプレイ３６１に対して表示制御したり、ディスプレイ３６１のタッチパネル機能を入力端末３６２としてユーザから情報の入力を受け付けたり、プリンタ７０６に印刷指示を出したりすることもできる。さらにＣＰＵ３５１は、包装装置５の散薬投入部１０３から投入された散薬を１包に包装する際に動作させる散薬分包機構３５５を制御したり、ユーザから手撒き投入部に手撒きされた錠剤を包装する際に動作させる手撒き投入機構３５６を制御したりすることができる。そして包装装置５と錠剤供給装置１０とは、包装装置５のＩ／Ｏ３５４と錠剤供給装置１０のＩ／Ｏ３１２とで通信可能に接続されている。
【００２４】
次に、錠剤供給装置１０のハードウェア構成について説明する。錠剤供給装置１０のＣＰＵ３１１は、バスに接続されている各デバイスを統括的に制御することができる。ＲＯＭ３１４にはＣＰＵ３１１の制御ブログラムや各種制御プログラムが記憶されている。ＲＡＭ３１３は、ＣＰＵ３１１が動作するためのシステムワークメモリとして機能する。ＣＰＵ３１１は、さらに錠剤取出機構１５における取出動作を制御したり、錠剤シートを搬送する搬送機構１６を制御したりすることもできる。
【００２５】
このようなハードウェア構成においては、以下のように錠剤取出を行うように制御することができる。まず包装装置５のＣＰＵ３５１が、錠剤供給装置１０のＣＰＵ３１１に対して、錠剤の取出動作命令を送信する。そして、錠剤供給装置１０のＣＰＵ３１１が、当該取出動作命令に従って、錠剤取出機構１５や搬送機構１６を制御して錠剤取出動作を行わせることができる。また、錠剤供給装置１０のＣＰＵ３１１は、包装装置５のＣＰＵ３５１に対して、錠剤取出動作の状況を示す動作情報を送信することもできる。
【００２６】
次に、図４、図５、図１２を用いて、錠剤取出ユニット１の構造について説明する。
【００２７】
図４は、錠剤取出ユニット１の内部構造を示す図である。なお、図４は、錠剤取出ユニット１が２つ並んで配置されている例を示している。図５は、錠剤取出ユニット１の内部構造（断面）を示す図であり、錠剤取出ユニット１を右側面から見た図である。図１２は、錠剤取出ユニット１に錠剤シートが投入される際の様子を示す図である。
【００２８】
錠剤取出ユニット１は、錠剤収容部５１０が重力方向に関して上側に来るような状態で複数の錠剤シート５１を積層させて投入可能な投入口２０３（錠剤シート保持部）と、錠剤シート５１を搬送する搬送機構１６と、搬送機構１６により搬送された錠剤シート５１が載置される載置台と、載置台上の錠剤シート５１の錠剤収容部の側から押圧して錠剤を取り出す押出し機構（錠剤取出機構１５）とを有している。錠剤シートを投入する投入口２０３となる領域は、一対の稼働側壁２１３（シートガイド）で位置が決められており、この幅は、投入される錠剤シートに応じて変更することができる。すなわち、投入する錠剤シートに応じて投入口２０３の幅を規定することができる。このような投入口２０３には、カバー９０１が設けられており、このカバーを開けることにより、錠剤シートを投入口２０３に搭載することが可能となる。
【００２９】
そして投入口２０３に積層されている錠剤シートは、多重搬送防止板１４１１により、最下層に位置する錠剤シートが錠剤の取出動作が行われる除包位置（錠剤取出位置）へと搬送される。そして、錠剤シートが載置台１８上に載置され、支持されている状態で取出動作が行われる。
【００３０】
錠剤シート５１は、錠剤を収容する錠剤収容部５１０を有するシート本体の下面に、アルミニウム等からなる金属箔などを用いた封止シートを設けることによって錠剤が錠剤収容部に密封されている。さらに錠剤シート５１は、シート部上に凸状の錠剤収容部が幅方向に間隔をおいて２列に並んだ形態である。各列をなす複数の錠剤収容部は錠剤シート５１の長さ方向に沿って並んでいる。
【００３１】
なお、錠剤シート５１としては、シート部上に錠剤収容部が２列に並んだ形態のものに限らず、錠剤収容部が錠剤シート５１の長さ方向に１列に並んだ形態や、錠剤収容部が幅方向に間隔をおいて３列以上の複数列に並んだ形態も可能である。
【００３２】
ＣＣＤカメラ４０１１（撮像手段）は、投入口２０３に積層されている錠剤シートの錠剤収容部が設けられた面の少なくとも一部を撮像することができ、例えば投入口２０３の上側に装着されている。
【００３３】
一対の稼働側壁２１３（シートガイド）には、それぞれ錠剤シートとシートガイドとが接触したことを検知できる錠剤シート検出センサ１４３２が設けられている。１枚の錠剤シートが投入口２０３に投入され、ユーザによってオートクローズスイッチ２０１０が押下されると、錠剤取出ユニットが備える不図示のモータ（駆動手段）が駆動し、左右の稼働側壁が投入口２０３の幅を狭める方向に駆動する。そして、左右両側の錠剤シート検出センサ１４３２によって錠剤シートの接触が検知されると、投入された錠剤シートに即したシートガイド幅となったといえるため、一対の稼働側壁２１３の位置が決定される。その後ユーザは投入口２０３に複数の錠剤シートをセットすることができる。
【００３４】
なお、錠剤検シート出センサ１４３２は、本実施形態においては接触センサの例を用いて示しているが、シートガイドと錠剤シートとが接していることを検知できれば光学センサ等の他の方式のセンサでも良い。
【００３５】
次に、図５を用いて錠剤収容部５１０から錠剤を取り出す際の様子を説明する。図５は、投入口２０３にセットされた錠剤シートが、錠剤の除包位置（錠剤の取出位置）まで搬送を行った様子を示している。
【００３６】
錠剤取出ユニット１は、錠剤シートを搬送する錠剤シート搬送機構１６（搬送機構）と、錠剤シートが載置される載置台１８と、錠剤シートから錠剤を取り出す錠剤取出機構１５（押出し機構）とを備えている。
【００３７】
錠剤シート搬送機構１６は、錠剤シート５１を進行方向に向け搬送するものであって、進行方向に沿って互いに間隔をおいて複数設けられた下部ローラ３９と、進行方向に沿って互いに間隔をおいて設けられた上部ローラとを備えている。
【００３８】
下部ローラ３９は、駆動源（不図示）により回転駆動可能であり、錠剤シート部の重力方向に関して下面側に当接して錠剤シート５１に進行方法への力を加えることができる。そして上部ローラは、駆動源（不図示）により回転駆動可能であり、ＰＴＰシート部の重力方向に関して上面に当接して錠剤シート５１に進行方向への力を加えることができる。
【００３９】
上部ローラおよび下部ローラの幅方向に関する配置位置は、２列の錠剤収容部の間に相当する位置であるため、上部ローラと下部ローラとは錠剤シートを搬送する際に錠剤収容部５１０に当接することはない。つまり、下部ローラ３９と上部ローラとは、錠剤シート部を上下から挟み込んで錠剤シートを進行方向（錠剤取出装置の後方方向）に搬送できる。さらに、下部ローラ３９と上部ローラは錠剤シート部を上下から挟み込んで錠剤シート５１を進行方向とは逆の方向にも搬送できる。
【００４０】
導入シュート２４は、載置台の下側に設けられており、錠剤シート５１から取り出され、落下してきた錠剤を、後述する錠剤導入路４０１に導くものである。すなわち、導入シュート２４は、載置台の下面側に排出口を有しており、錠剤シート５１から取り出された錠剤はその排出口を通り、後述する錠剤導入路４０１に落ちていく。なお、この導入シュート２４は、錠剤取出ホッパーとも言う。
【００４１】
錠剤取出ユニット１は、載置台上に錠剤シート５１を搭載した状態で、錠剤取出機構１５の押出し機構で錠剤を押し出すことで錠剤の取出動作を行う。また、錠剤取出ユニット１は、載置台上の錠剤シート５１の錠剤収容部を押圧する速度を変更させる変更機構をさらに有している。そして錠剤取出ユニットの所定の動作で錠剤が取り出せなかった場合には、押出し機構の押出し速度を通常の速度より高速に変更して錠剤収容部の押圧を行い、取出動作の継続（リトライ）を行う。またリトライの際には、錠剤収容部の押圧を再度行う前に１度目の載置台１８上の押圧位置から所定の距離だけ搬送手段で錠剤シート５１を搬送させ、この状態で押出し機構を用いて錠剤収容部を押圧する。このような状態でリトライ動作を行うことにより、１度の取出動作で錠剤が取り出されなかったとしても、確実に錠剤を取り出すことができる。
【００４２】
次に、押出し機構の詳細について説明する。押出し機構は、錠剤収容部の中央付近を押圧する内側押圧体８３と、内側押圧体８３を取り囲むように設けられ、中央付近よりも外側の部分を押圧する外側押圧体８４とを含んで設けられている。この内側押圧体８３と外側押圧体８４とが独立して動作することでＰＴＰシートの錠剤収容部を押圧し、ＰＴＰシートから錠剤を取り出す。具体的には押出し機構は、内側押圧体８３よりも先に外側押圧体８４により錠剤収容部を押圧する。
【００４３】
内側押圧体８３の先端は、錠剤取出ユニットに搭載されることが想定されるほとんどの錠剤シート５１の錠剤収容部よりも面積が狭くなるように設けられている。そのため、内側押圧体８３を錠剤を取り出すために下降させると、錠剤シートの錠剤収容部の面よりも重力方向に関して下側に至るまで先端が到達し、錠剤シート５１の金属箔に開いた穴から先端が下側に突き出ることになる。一方、外側押圧体８４の先端は、錠剤取出ユニットに搭載されることが想定されるほとんどの錠剤シート５１の錠剤収容部よりも面積が広いので、錠剤を取り出すために下降させても、錠剤シート５１の金属箔に開いた穴から先端が突き出ることはない。すなわち、外側押圧体８４を用いて最初に錠剤シート５１の錠剤収容部を押し潰し、その後内側押圧体８３で錠剤を確実に押し出すというように用いられる。
【００４４】
また、錠剤取出機構１５（押出し機構）は、外側押圧体８４を昇降させる第１昇降機構と、内側押圧体８３を昇降させる第２昇降機構も有しており、これらを動作させることにより、押圧体で錠剤を押し出すことができる。
【００４５】
第１昇降機構は、外側押圧体８４が取り付けられた第１昇降体９３と、回転駆動して第１昇降体９３を昇降させるカム９４と、第１昇降体９３を上昇方向に付勢する付勢部材（ばね）とを備えている。
【００４６】
第１昇降体９３は、前後方向にわたって延在する柱状体であり、前端部に外側押圧体８４が取り付けられている。カム９４は、外側押圧体８４の昇降動作を考慮して設計された形状の板状体であり、駆動機構によって回転駆動する軸部に固定されている。
【００４７】
カム９４は、第１昇降体９３の上面側に設けられ、軸部の回転に伴って回転駆動し、第１昇降体９３を押圧することによって高さ位置を調整し、これによって外側押圧体８４の高さ位置を調整する（外側押圧体８４の昇降動作を行う）ことができる。第１昇降機構は、カムの回転動作のタイミング、カムの形状、軸部に対するカムの固定位置などの設定によって、外側押圧体８４の昇降動作のタイミングや変位量を任意に設定できる。
【００４８】
第２昇降機構は、内側押圧体８３が取り付けられた第２昇降体９８と、回転駆動して第２昇降体９８を昇降させるカム９９と、第２昇降体９８を上昇方向に付勢する付勢部材（ばね）とを備えている。
【００４９】
第２昇降体９８は、前後方向にわたって延在する柱状体であり、前端部に内側押圧体８３が取り付けられている。カム９９は、第２昇降体９８の上面側に設けられ、軸部の回転に伴って回転駆動し、第２昇降体９８を押圧して高さ位置を調整し、これによって内側押圧体８３の高さ位置を調整する（内側押圧体８３の昇降動作を行う）ことができる。第２昇降機構は、カム９９の回転動作のタイミング、カムの形状、軸部に対するカムの固定位置などの設定によって、内側押圧体８３の昇降動作のタイミングや変位量を任意に設定できる。
【００５０】
このため、カム９４とカム９９は、それぞれ第１昇降体と第２昇降体に対して互いに独立に動作可能であり、内側押圧体８３と外側押圧体８４は、互いに独立に昇降動作させることができる。
【００５１】
錠剤取出機構１５における２つのカムの回転動作のタイミング等は、錠剤位置検出機構の検出部からの信号に基づいて定めることができる。具体的には、検出された錠剤収容部の位置に合わせて内側押圧体８３と外側押圧体８４を動作させることができる。
【００５２】
錠剤取出ユニット１は、ＰＴＰシートの錠剤収容部の押圧をする前に、押圧される錠剤収容部の長さや押圧される錠剤収容部の位置を検知することができる検出機構１７をさらに有している。そして錠剤供給装置は、検出した錠剤収容部の長さや錠剤収容部の位置に応じて押圧に最適な搬送方向に関する位置を算出し、当該位置とするために必要な搬送距離を算出することもできる。つまり搬送機構１６（下部ローラ３９、上部ローラ）は、搬送距離により載置台１８上の錠剤収容部が押圧するために必要な最適位置に錠剤シートを搬送することができる。
【００５３】
次に、図６を用いて、錠剤供給装置１０の内部構造について説明する。図６は、錠剤供給装置１０を背面側（裏側）から見た図である。
【００５４】
検知機構２０４は、光学センサ（ビームセンサ）等で設けられた、落下物を検知することができる。除包された錠剤が導入シュート２４内を落下する際、錠剤がセンサ上を通過し光の一部を遮光することになる。このビームセンサの光の一部が遮光され、光量が変化した状態をＯＮ状態とし、遮光されておらず光量が変化しない状態をＯＦＦ状態とする。このＯＮ／ＯＦＦ状態を用いて落下物の有無の判定を行うことができる。さらに光学センサ２０４と錠剤の通過をカウントする落下錠剤カウンタが設けられており、錠剤落下カウンタと検知機構２０４により、押圧により錠剤収容部から錠剤が取り出されたか否かを判定することができる。
【００５５】
そして取出動作を行っても錠剤の通過が検知されない場合（錠剤落下カウンタがカウントアップされない場合）には、押出し機構による錠剤収容部の押圧動作を継続（リトライ）させる。これにより、確実に錠剤の取り出しを行うことができる。一方、取出動作後に錠剤の通過が検知されない場合には、取出動作後に押出し機構による錠剤収容部の押圧動作を継続（リトライ）しない。
【００５６】
錠剤導入路４０１は、導入シュート２４と導通しており、錠剤シートから取り出され落下した錠剤を導入シュート２４から第１集積ホッパーに中継するためのものである。
【００５７】
次に、図７を用いて、錠剤供給ユニット４００の内部構造について説明する。第１集積ホッパー４０２は、錠剤取出ユニット１により、ＰＴＰシートから取り出された錠剤が導入シュート２４を落下して通り、そして、導入シュート２４から錠剤導入路４０１を通り、該錠剤が集積される部分である。すなわち、錠剤導入路４０１は、第１集積ホッパー４０２と直接導通している。
【００５８】
第２集積ホッパー５０１は、第１集積ホッパー４０２で集積された錠剤をさらに集積する。すなわち、第２集積ホッパー５０１は、第１集積ホッパー４０２と導通している。
【００５９】
つまり第１集積ホッパー４０２に落ちてきた錠剤５０は、第２集積ホッパー５０１に落ちて集積される。
【００６０】
第１の送り出し機構５０２は、第２集積ホッパーに集積された錠剤５０を第３の集積ホッパーに移動させる。第３集積ホッパー５０３は、第１の送り出し機構５０２により送り出（移動）された錠剤を集積する。そして第２の送り出し機構５０４が、第３集積ホッパーに集積された錠剤をメインホッパー５０５に移動させる。そしてメインホッパー５０５は、第２の送り出し機構５０４により送り出（移動）された錠剤（１回分）を集積し、包装シート（分包紙）の中に集積した錠剤を投入する。
【００６１】
次に、図８、図９を用いて、包装ユニット７０１の内部構造について説明する。
【００６２】
図８は、包装ユニット７０１の内部構造を示す図である。図９は、図８に示す包装ユニット７０１の内部構造の一部（７０３、７０４、７０５）を拡大した図である。
【００６３】
包装ユニット７０１は、包装装置５内のユニットである。ロール紙送出機構７０２は、包装シートが連なるロール紙（分包紙がロール状になっている紙）を包装機構７０３，７０４に送り出す。
【００６４】
包装機構７０３，７０４は、メインホッパー５０５内に集積された錠剤（１回分の錠剤）が包装シートの中に投入されると、当該包装シートを加熱し溶着することにより、包装シートの中に投入された錠剤を、包装シートの中に封入する。すなわち、包装機構７０３と、包装機構７０４とで、包装シートを加熱し溶着することにより、包装シートの中に投入された錠剤を、包装シートの中に封入する。
【００６５】
分断機構７０５は、連なるロール紙を１包毎の包装シート（１つの包み８０２）に分断するための分断用ミシン目８０１を包装シートに形成する。プリンタ７０６は、包装シートに、日付、患者データ、エラー情報を印字することができる。
【００６６】
このような図８及び図９に示す包装ユニットにより、投薬１回分の錠剤または散薬を包装シートに分包することができる。なお包装シートとしては、表面に熱溶着可能な樹脂材をコーティングした紙のみならず、中身を視認することができる透明なフィルム材を用いることもできる。
【００６７】
次に、図１０及び図１１を用いて、錠剤供給装置１０から供給された錠剤が包装機構に運ばれる様子について説明する。図１０は、錠剤供給装置１０を正面から見た図である。図１１は、錠剤供給装置１０を横（正面から見て右側）から見た図である。図１０及び１１に示す点線の矢印は、錠剤取出ユニット１から取り出された錠剤の移動経路を示している。
【００６８】
錠剤供給装置１０には、図１１に示すように第１の段と第２の段と第３の段とが重力方向に関して重なるように設けられている。各段には、錠剤シートから錠剤を取り出す錠剤取出ユニット１、錠剤導入路４０１、及び導入シュート２４が設けられている。
【００６９】
錠剤取出ユニット１で、錠剤シートから取り出された錠剤は、導入シュート２４を通り、そして、錠剤導入路４０１を通り、第１集積ホッパー４０２に落ちていく。
【００７０】
具体的には最上段（第１の段）の錠剤取出ユニット１から取り出された錠剤は、第１の段の導入シュート２４、中段（第２の段）の錠剤導入路４０１、下段（第３の段）の錠剤導入路４０１を通過して第１集積ホッパー４０２の第１の傾斜部１３０１に至る。また、第２の段の錠剤取出ユニット１から取り出された錠剤は、第２の段の導入シュート２４、第３の段の錠剤導入路４０１を通過して第１集積ホッパー４０２の第１の傾斜部１３０１に至る。また、第３の段の錠剤取出ユニット１から取り出された錠剤は、第３の段の導入シュート２４を通過して第１集積ホッパー４０２の第１の傾斜部１３０１に至る。
【００７１】
この時、錠剤供給装置１０全体の分包時間を短縮させることを考慮すると、導入シュート２４（錠剤取出ホッパー）出口から、まっすぐ下に垂直落下させ、第２集積ホッパー下部に収めることが考えられる。しかし最上段の錠剤取出ユニット１で取り出された錠剤を、導入シュート２４（錠剤取出ホッパー）出口からまっすぐ下に垂直落下させ、第２集積ホッパー下部に収めるとかなりの距離落下させる必要が生じ、錠剤が割れたり、欠けたりして破損してしまう可能性が高くなる。また、錠剤シートから取り出される薬が、カプセルの場合は凹んだりして変形をしてしまう可能性が高くなるため好ましくない。
【００７２】
そのため第１集積ホッパー４０２の上部に、分包時間を余りロスしない程度に錠剤をバウンドさせる第１の傾斜部１３０１が設けられている。
【００７３】
そして、第１集積ホッパー４０２を通った錠剤は、第２集積ホッパー５０１を通り、第１の送り出し機構５０２に送られる。第１の送り出し機構は、第１の中継ユニットとして用いられる。その後、第１の送り出し機構５０２は、錠剤を第３集積ホッパー５０３に送り、第３集積ホッパー５０３は、第２の送り出し機構５０４に錠剤を送る。第２の送り出し機構５０４は、第２の中継ユニットとして用いられる。第２の送り出し機構５０４は、第２の送り出し機構５０４に送られた錠剤を、メインホッパー５０５に送られる。
【００７４】
また、第２集積ホッパー５０１においても、第１集積ホッパー４０２から第２集積ホッパー５０１の下部にダイレクトに錠剤が到達しないように、第２集積ホッパー５０１も分包時間を余りロスしない程度に錠剤をバウンドさせる第２の傾斜部１３０２を設けている。
【００７５】
なお上述の第１の傾斜部１３０１及び第２の傾斜部１３０２の角度は一例であり、落下してくる錠剤がバウントして（落下スピードを落として）、その後の経路に移動可能な角度（次の供給部に落下により供給可能な角度の傾斜）であれば、どのような角度でもよい。
【００７６】
また、第１の傾斜部１３０１、第２の傾斜部１３０２に、ゴムなどの、衝撃を吸収する材料（衝撃吸収材）を更に設けることにより、錠剤の衝撃をさらに抑えることが可能となる。
【００７７】
先に説明したように、錠剤投入口に錠剤シートがセットされ、分包動作の開始が指示されると分包動作が開始されるが、錠剤シートから錠剤を取り出すことに失敗し、必要錠剤数分に足りなくなってしまった場合や、そもそも投入時に錠剤シートの投入すべき枚数が投入できていなかった場合などに、分包動作途中で錠剤シートが不足してしまうこともある。
【００７８】
このような場合には、錠剤シートを収容している錠剤シート収容部（保持部）に新たな錠剤シートをセットするようにユーザ（薬剤師）に通知する必要が生じるが、単に錠剤名を通知しただけでは、どの錠剤シートを補充すべきかをユーザが把握しにくいという懸念があった。
【００７９】
そこで本実施形態においては、分包動作中に錠剤シートが不足してしまい、ユーザによって錠剤シートの再投入（補充）が行われる際に、ユーザによる錠剤シートの間違えが発生しないように、ＣＣＤカメラ４０１１で撮像された画像を用いて、補充すべき錠剤シートの外観を識別可能にユーザに通知している。言い換えるとそれ以前に投入されていた錠剤シートと同じ種類の錠剤シートがわかるように外観を識別可能に通知している。
【００８０】
一般的に錠剤は、患者の服用間違いを低減させるために、錠剤シートの色や形状、錠剤の形、錠剤シートに記載されている薬品名や重量等に違いが設けられており、多種多様の外観・形状をしている。そのため、錠剤シートの外観をユーザ（薬剤師）に通知してやることにより、錠剤取出ユニットに投入すべき錠剤シートを容易に判断することができ、投入間違えを防止することができる。
【００８１】
まず図１３のフローチャートを用いて、錠剤取出ユニット１に錠剤シートを再投入する際に、投入すべき錠剤シートの外観をユーザに識別させる際に用いる錠剤シートの少なくとも一部の画像を、ＣＣＤカメラ４０１１を用いて撮像する流れを説明する。このような制御は、錠剤取出ユニット１ごとに、例えば錠剤供給装置１０のＣＰＵ３１１が記憶されている制御プログラムを読み出して実行することにより実現される。
【００８２】
Ｓ１３０１では、錠剤供給装置１０のＣＰＵ３１１が、ユーザによってオートクローズスイッチ２０１０が押下されたかを判断する。オートクローズスイッチ２０１０が押下されたと判断された場合には、Ｓ１３０２に進み、錠剤供給装置１０のＣＰＵ３１１は、左右のシートガイド（稼働側壁）２１３が投入口２０３の幅を狭める方向に移動を開始する。
【００８３】
Ｓ１３０３では、錠剤供給装置１０のＣＰＵ３１１は、両側の錠剤シート検出センサ１４３２において錠剤シートを検知したかを判断する。両側で検知された場合には、当該シートガイドの位置が錠剤シートの幅と一致した場所であるといえるため、Ｓ１３０４に進み、左右のシートガイド２１３の位置を決定する。
【００８４】
現在投入口２０３に投入されている錠剤シートがこれから錠剤取出動作に用いられる錠剤シートであるといえるため、Ｓ１３０５では、錠剤供給装置１０のＣＰＵ３１１は、ＣＣＤカメラ４０１１によって錠剤シートの少なくとも一部の画像を撮像させる。
【００８５】
Ｓ１３０６では、錠剤供給装置１０のＣＰＵ３１１は、撮像した画像を外部メモリなどに記憶させ、処理を終了する。
【００８６】
以上のような処理により、各錠剤取出ユニット１に投入されている画像を記憶させることができる。なお、ここでは撮像のタイミングをシートガイドの位置決定後としたが、錠剤取出が行われる錠剤シートを撮影することができれば、オートクローズスイッチ押下のタイミングや、錠剤シートの搬送が開始されるタイミングとしてもよい。
【００８７】
次に図１４のフローチャートを用いて、補充する錠剤シートの外観をユーザに通知する流れを説明する。このような制御は、錠剤取出ユニット１ごとに、例えば錠剤供給装置１０のＣＰＵ３１１が記憶されている制御プログラムを読み出して実行することにより実現される。本実施形態においては、錠剤取出位置までの搬送量を決定する流れの一部として補充すべき錠剤シートの外観を表示させるようにしているが、これに限られないことは言うまでもない。
【００８８】
Ｓ１４０１では、錠剤供給装置１０のＣＰＵ３１１は、搬送を開始してから、または、検出機構１７で錠剤収容部が最後に検知されてから一定時間（例えば５秒間）経過したか否かをチェックする。一定時間経過していない場合、Ｓ１４０２に進み、錠剤シートを搬送する。そうでない場合、搬送すべき錠剤シートが無い、すなわち錠剤シートが投入口に保持されておらずユーザに補充を促す必要があるため、Ｓ１４１１に進む。
【００８９】
Ｓ１４０２では、錠剤供給装置１０のＣＰＵ３１１は、処方データによって特定される錠剤分除包するために、１枚目の錠剤シートの搬送が開始されると搬送モータによる１ステップ分の搬送を特定する。
【００９０】
Ｓ１４０３では、錠剤供給装置１０のＣＰＵ３１１は、検出機構１７による錠剤収容部の検出状態を取得する。そして、Ｓ１４０４で検出機構１７が錠剤収容部を検出したかどうかを判断する。錠剤収容部を検出できた場合には、Ｓ１４０５に進む。一方、錠剤収容部を検出しなかった場合には、Ｓ１４０１に戻る。
【００９１】
Ｓ１４０５では、錠剤幅を特定するための錠剤幅カウンタ値をインクリメントする。つまり搬送モータによるステップ数をカウントすることになるため、錠剤収容部を検出している間にカウントされる錠剤幅カウンタ値と搬送モータによる１ステップ分に対応する搬送距離とから、搬送方向に関する錠剤収容部の幅を特定できる。
【００９２】
そしてＳ１４０６では、錠剤供給装置１０のＣＰＵ３１１は、Ｓ１４０２と同様に搬送モータによる１ステップ分の搬送を特定し、Ｓ１４０７でＳ１４０３と同様に検出機構１７による錠剤収容部の検出状態を取得する。そしてＳ１４０８では、検出機構１７が錠剤収容部を検出しなくなったかどうかを判断する。錠剤収容部を検出しなくなった場合には、錠剤収容部が検出機構１７の検出位置を通過したといえるため、Ｓ１４０９に遷移し、そうでない場合、Ｓ１４０５に戻る。
【００９３】
Ｓ１４０９では、錠剤供給装置１０のＣＰＵ３１１は、錠剤落下口の中心位置に錠剤収容部の中心位置が来るように、錠剤シートの錠剤収容部の通過を検出機構１７で検知したタイミングから錠剤シートを搬送させる搬送距離を算出する。具体的には、錠剤幅カウンタ値から特定される錠剤収容部の幅Ｘと検出機構１７の検出位置と錠剤落下口の中心位置との距離（Ａ）とから、搬送距離（Ａ−Ｘ／２）を算出し、錠剤落下口の中心位置に錠剤収容部の中心位置が来るように搬送する。
【００９４】
Ｓ１４１０では、錠剤供給装置１０のＣＰＵ３１１は、処方データで指定される全ての錠剤数の除包が終了したかを判断し、終了した場合には、錠剤取出し後、錠剤取出し装置内に残っている錠剤シート５１をすべて排出し、Ｓ１３０６でメモリに保存しておいた画像を削除する。なお、除包が終了した後に自動で錠剤シートを排出させなくてもよく、その場合には錠剤シートがユーザによって取り除かれたことを検知したタイミングでメモリに保存しておいた画像を削除すればよい。Ｓ１４１０で終了していないと判断された場合には、錠剤シートの搬送動作が開始されるので、Ｓ１４０１に戻る。
【００９５】
Ｓ１４１１では、錠剤供給装置１０のＣＰＵ３１１は、錠剤不足エラー処理として、錠剤シートの搬送動作を停止し、Ｓ１３０５においてＣＣＤカメラ４０１１で撮像された画像を外部メモリから取得し、錠剤取出ユニットに補充すべき錠剤シートの画像をユーザに対して識別可能に表示させる。
【００９６】
このような画像を表示させるディスプレイとしては、包装装置５のディスプレイ３５０１や情報処理装置３００のディスプレイ３３４を用いることができ、錠剤供給装置１０のＣＰＵ３１１は、このようなディスプレイに画像が表示されるように制御する。
【００９７】
図１５にこのようなディスプレイに表示される画面１５００の一例を示す。画面１５００には、どの錠剤ユニットに錠剤シートを補充すべきかを示すメッセージを表示するとともに、錠剤シートの外観１５０３、具体的には錠剤シートの一部の撮影画像が表示される。
【００９８】
このように錠剤シートの外観１５０３を表示することにより、ユーザ（薬剤師）による錠剤シートの在庫が無い投入口への投入間違えを防止することができる。また、画面１５００には、錠剤分包動作を再開させる再スタートボタン１５０１と、錠剤分包動作を再開させずに処方編集画面を開くための閉じるボタン１５０２も設けられている。
【００９９】
Ｓ１４１２では、錠剤供給装置１０のＣＰＵ３１１は、包装装置５のＣＰＵ３１１から除包動作再開指示を受けたかを判断する。投入口に錠剤シートが補充され再スタートボタン１５０１が押下され、除包動作再開指示がなされた場合には、Ｓ１４０１に戻り除包動作を再開する。
【０１００】
閉じるボタン１５０２が押下され、除包動作再開指示が無いと判断される場合には、Ｓ１４１３では、表示中の画面１５００が閉じられ処方編集画面が開かれ、処理が終了する。
【０１０１】
なお、ユーザに供給すべき錠剤シートを通知する方法としては、図１５に示す画面１５００を包装装置５のディスプレイ３５０１や情報処理装置３００のディスプレイ３３４に表示する方法のみならず、図１６に示すように錠剤供給装置１０の錠剤シートの投入口が設けられた面に、錠剤取出ユニットごとのディスプレイ１６０１を設け、このディスプレイ１６０１を用いてユーザに識別可能に通知させてもよい。図１６に示す例では、オートクローズスイッチ２０１０の間の領域に、錠剤取出ユニット１ａ用のディスプレイ１６０１ａと、錠剤取出ユニット１ｂ用のディスプレイ１６０１ｂとが設けられている。
【０１０２】
このディスプレイ１６０１には、錠剤取出ユニットに錠剤シートが無くなった場合に錠剤シートの画像を表示させるようにしてもよいが、常に錠剤シートの画像を表示させておいてもよい。ディスプレイ１６０１が錠剤取出ユニットごとに設けられている構成の際に、このように投入口２０３に錠剤シートが搭載されている間常に錠剤シートの画像が表示されるように表示制御することで、どの錠剤シートがどの錠剤取出ユニット１に搭載されているかを容易に把握することができる。そして、常に錠剤シートの画像を表示させる場合には、ディスプレイやその周辺を点滅させたり、ディスプレイの輝度を変更し、錠剤シートが無くなった錠剤取出ユニットに対応するディスプレイを介して、錠剤シートが無くなった錠剤取出ユニットをユーザが識別させることが好ましい。なお、Ｓ１４１０で除包が全て終了し、錠剤シートを排出してメモリに保存された画像が削除された場合には、錠剤取出ユニットへの錠剤シートの紐づけが解除されたことになるため、ディスプレイ１６０１の画像も表示されなくなる。
【０１０３】
また、本実施形態においては、搬送経路に設けられた検出機構１７で錠剤収容部が所定時間検知されないことにより、投入口に錠剤シートがなくなったことを判断する例を用いて説明を行ったが、投入口周辺に検出手段を設け、直接錠剤シートの有無を検出させてもよい。
【０１０４】
なお、本実施形態においては、ユーザに投入すべき錠剤シートの外観を認識させるために用いる錠剤シートの少なくとも一部の画像を、撮像手段４０１１で撮像されたものとしたが、あらかじめ情報処理装置３００等の外部メモリに記憶されている錠剤マスタに、薬剤名に対応する画像を記憶させておき、この画像を用いてユーザにいずれの錠剤シートを投入すべきかを通知してもよい。
【符号の説明】
【０１０５】
１  錠剤取出ユニット
５１  錠剤シート
２０３  投入口（保持部）
２１３  稼動側壁
４０１１  ＣＣＤカメラ（撮像手段）
【図１】
2016135230.tif 000003
【図２】
2016135230.tif 000004
【図３】
2016135230.tif 000005
【図４】
2016135230.tif 000006
【図５】
2016135230.tif 000007
【図６】
2016135230.tif 000008
【図７】
2016135230.tif 000009
【図８】
2016135230.tif 000010
【図９】
2016135230.tif 000011
【図１０】
2016135230.tif 000012
【図１１】
2016135230.tif 000013
【図１２】
2016135230.tif 000014
【図１３】
2016135230.tif 000015
【図１４】
2016135230.tif 000016
【図１５】
2016135230.tif 000017
【図１６】
2016135230.tif 000018